(57)【要約】【課題】  より信頼性の高い推移データを表示すること。【解決手段】  遊技に関する情報を表示する情報表示手段３１２を備える遊技用装置３と、差遊技媒体数の営業開始から営業終了までの推移データを管理する管理装置１４０とから成り、前記管理装置１４０は、推移データ記憶手段１４５に記憶している過去の推移データの中から、当日推移データと予め定められた近似関係にある近似推移データを抽出し、抽出した近似推移データのうち、近似推移データ中の特定時点の差遊技媒体数が表示対象条件を満たす表示対象推移データを特定し、該特定した表示対象推移データと前記当日推移データとを併せて表示するための表示用データを遊技用装置３に送信し、前記遊技用装置３は、受信した表示用データに基づいて、前記当日推移データと表示対象推移データとを併せて前記情報表示手段３１２に表示する。【選択図】  図８
2006149537.tif 000002
【特許請求の範囲】
【請求項１】
遊技機に対応して設けられ、該対応する遊技機における遊技に関する情報を表示する情報表示手段を備える遊技用装置と、該遊技用装置にデータ通信可能に接続され、前記遊技機における遊技に使用された使用遊技媒体数と該遊技機における遊技により遊技者に付与された付与遊技媒体数との差である差遊技媒体数の営業開始から営業終了までの推移データを管理する管理装置とから成り、該管理装置にて管理されている差遊技媒体数の推移データを、前記遊技用装置が対応する遊技機における遊技者が閲覧可能に前記情報表示手段に表示するための遊技用システムであって、
前記管理装置は、
過去複数日分の前記推移データを記憶するための推移データ記憶手段と、
前記遊技用装置からの要求に基づいて、前記推移データ記憶手段に記憶している過去の推移データの中から、該遊技用装置が対応する遊技機のその当日の当該要求時点までの推移データである当日推移データと予め定められた近似関係にある過去の推移データである近似推移データを抽出する近似推移データ抽出手段と、
該近似推移データ中の前記要求時点以降の特定時点における差遊技媒体数に関する表示対象条件を設定する表示対象条件設定手段と、
前記近似推移データ抽出手段にて抽出した近似推移データのうち、前記特定時点の差遊技媒体数が前記表示対象条件設定手段にて設定されている表示対象条件を満たす近似推移データである表示対象推移データを特定する表示対象推移データ特定手段と、
該特定した表示対象推移データと前記当日推移データとを併せて表示するための表示用データを、前記要求元の遊技用装置に送信する表示用データ送信手段と、
を備え、
前記遊技用装置は、受信した前記表示用データに基づいて、前記当日推移データと表示対象推移データとを併せて前記情報表示手段に表示することを特徴とする遊技用システム。
【請求項２】
前記近似推移データ抽出手段は、前記当日推移データと前記推移データ記憶手段に記憶している過去の推移データとから、所定のサンプル時点における差遊技媒体数を抽出し、各サンプル時点における前記当日推移データの差遊技媒体数と過去の推移データの差遊技媒体数との差数が所定範囲内であるサンプル時点の数に基づいて、近似推移データを抽出することを特徴とする請求項１に記載の遊技用システム。
【請求項３】
前記管理装置は、前記サンプル時点の数に基づいて近似推移データを抽出するための複数の抽出方法を、各抽出方法を実施する優先順位とともに記憶するための抽出方法記憶手段を備え、
前記近似推移データ抽出手段は、前記優先順位が最も高い抽出方法により抽出を実施し、該抽出した近似推移データ数が予め定められた所定数に満たないときには該抽出した近似推移データ数が所定数を以上となるまで、次に優先順位の高い抽出方法により順次抽出を実施することを特徴とする請求項２に記載の遊技用システム。
【請求項４】
前記近似推移データ抽出手段は、前記当日推移データと前記推移データ記憶手段に記憶している過去の推移データについて、所定のサンプル期間における差遊技媒体数平均を算出し、各サンプル期間における前記当日推移データの差遊技媒体数平均と過去の推移データの差遊技媒体数平均との差数が所定範囲内であるサンプル期間の数に基づいて、近似推移データを抽出することを特徴とする請求項１に記載の遊技用システム。
【請求項５】
前記管理装置は、前記サンプル期間の数に基づいて近似推移データを抽出するための複数の抽出方法を、各抽出方法を実施する優先順位とともに記憶するための抽出方法記憶手段を備え、
前記近似推移データ抽出手段は、前記優先順位が最も高い抽出方法により抽出を実施し、該抽出した近似推移データ数が予め定められた所定数に満たないときには該抽出した近似推移データ数が所定数を以上となるまで、次に優先順位の高い抽出方法により順次抽出を実施することを特徴とする請求項４に記載の遊技用システム。
【請求項６】
前記管理装置は、前記推移データ記憶手段において各遊技機の推移データを、当該遊技機の機種を特定可能な情報に対応付けて記憶しており、
前記遊技用装置は、対応する前記遊技機の機種を特定可能な情報を含む要求を前記管理装置に送信し、
前記近似推移データ抽出手段は、受信した要求に含まれる情報から特定される機種と同一機種の遊技機における過去の推移データを抽出対象として近似推移データを抽出することを特徴とする請求項１〜５のいずれかに記載の遊技用システム。
【請求項７】
前記管理装置は、前記表示対象推移データ特定手段により特定した表示対象推移データ中の前記特定時点の差遊技媒体数が遊技者が有利となる所定値を越えないときに、前記要求元の遊技用装置に他の遊技機への移動を促すメッセージの表示指示である移動勧告表示指示を送信する移動勧告表示指示送信手段を備え、
前記遊技用装置は該移動勧告表示指示の受信に応じて他の遊技機への移動を促すメッセージを前記情報表示手段に表示することを特徴とする請求項１〜６のいずれかに記載の遊技用システム。
【発明の詳細な説明】
【技術分野】
【０００１】
本発明は、パチンコ機等の遊技機に対応して設けられ、該対応する遊技機における遊技に関する情報を表示する情報表示手段を備える遊技用装置と、該遊技用装置にデータ通信可能に接続され、前記遊技機における、遊技場にとって利益となる利益遊技媒体数と遊技場にとって不利益となる不利益遊技媒体数との差である差遊技媒体数の営業開始から営業終了までの推移データを管理する管理装置とから成り、該管理装置にて管理されている差遊技媒体数の推移データを、前記遊技機における遊技者が閲覧可能に前記情報表示手段に表示するための遊技用システムに関する。
【背景技術】
【０００２】
従来、これら差遊技媒体数となる差玉数を遊技者が閲覧可能に表示するシステムとしては、その時点の差玉数が遊技者にとって不利となるマイナス（遊技場にとっては有利となるプラス）のときに、現在の差玉数から遊技者にとって有利となるプラスになった過去のデータを表示して、遊技者の遊技継続意欲を向上させようとするものがある（例えば、特許文献１参照）。
【０００３】
【特許文献１】特開２００４−９７６７４号公報（第６頁、第７図）
【発明の開示】
【発明が解決しようとする課題】
【０００４】
しかしながら、特許文献１の遊技履歴出力装置にあっては、現在の差玉数に至るまでの差玉数の推移状況には関係なく、過去において遊技者にとって有利となるプラスになった差玉数の推移データが選択されて、その推移データのグラフ（スランプグラフ）が表示されるので、表示されるスランプグラフが信頼性に欠け、遊技者の遊技継続意欲を十分に向上できないという問題があった。
【０００５】
本発明は、このような問題点に着目してなされたもので、より信頼性の高い推移データを表示することで、遊技者の遊技継続意欲を十分に向上できる遊技用システムを提供することを目的とする。
【課題を解決するための手段】
【０００６】
上記課題を解決するために、本発明の請求項１に記載の遊技用システムは、
遊技機に対応して設けられ、該対応する遊技機における遊技に関する情報を表示する情報表示手段を備える遊技用装置と、該遊技用装置にデータ通信可能に接続され、前記遊技機における遊技に使用された使用遊技媒体数と該遊技機における遊技により遊技者に付与された付与遊技媒体数との差である差遊技媒体数の営業開始から営業終了までの推移データを管理する管理装置とから成り、該管理装置にて管理されている差遊技媒体数の推移データを、前記遊技用装置が対応する遊技機における遊技者が閲覧可能に前記情報表示手段に表示するための遊技用システムであって、
前記管理装置は、
過去複数日分の前記推移データを記憶するための推移データ記憶手段と、
前記遊技用装置からの要求に基づいて、前記推移データ記憶手段に記憶している過去の推移データの中から、該遊技用装置が対応する遊技機のその当日の当該要求時点までの推移データである当日推移データと予め定められた近似関係にある過去の推移データである近似推移データを抽出する近似推移データ抽出手段と、
該近似推移データ中の前記要求時点以降の特定時点における差遊技媒体数に関する表示対象条件を設定する表示対象条件設定手段と、
前記近似推移データ抽出手段にて抽出した近似推移データのうち、前記特定時点の差遊技媒体数が前記表示対象条件設定手段にて設定されている表示対象条件を満たす近似推移データである表示対象推移データを特定する表示対象推移データ特定手段と、
該特定した表示対象推移データと前記当日推移データとを併せて表示するための表示用データを、前記要求元の遊技用装置に送信する表示用データ送信手段と、
を備え、
前記遊技用装置は、受信した前記表示用データに基づいて、前記当日推移データと表示対象推移データとを併せて前記情報表示手段に表示することを特徴としている。
この特徴によれば、過去の推移データからその当日の当日推移データに近似する近似推移データが抽出され、該近似推移データから当日推移データと対比する表示対象推移データが選択されて、該選択された表示対象推移データとその当日の当日推移データとが併せて表示されるので、表示される表示対象推移データの信頼性が向上し、遊技者の遊技継続意欲を十分に向上でき、結果的に遊技機の稼働率の向上に寄与することができる。
【０００７】
本発明の請求項２に記載の遊技用システムは、請求項１に記載の遊技用システムであって、
前記近似推移データ抽出手段は、前記当日推移データと前記推移データ記憶手段に記憶している過去の推移データとから、所定のサンプル時点における差遊技媒体数を抽出し、各サンプル時点における前記当日推移データの差遊技媒体数と過去の推移データの差遊技媒体数との差数が所定範囲内であるサンプル時点の数に基づいて、近似推移データを抽出することを特徴としている。
この特徴によれば、過去の推移データの中から近似推移データを正確に抽出することができる。
【０００８】
本発明の請求項３に記載の遊技用システムは、請求項２に記載の遊技用システムであって、
前記管理装置は、前記サンプル時点の数に基づいて近似推移データを抽出するための複数の抽出方法を、各抽出方法を実施する優先順位とともに記憶するための抽出方法記憶手段を備え、
前記近似推移データ抽出手段は、前記優先順位が最も高い抽出方法により抽出を実施し、該抽出した近似推移データ数が予め定められた所定数に満たないときには該抽出した近似推移データ数が所定数を以上となるまで、次に優先順位の高い抽出方法により順次抽出を実施することを特徴としている。
この特徴によれば、近似度の高い近似推移データを抽出する抽出方法に高い優先順位を割り当てることで、できる限り近似度の高い近似推移データを抽出できる一方、表示対象推移データを特定する上で最低限の数の近似推移データが抽出されるようになるので、過去の推移データの状況に合わせて効率的に近似推移データの抽出を実施できる。
【０００９】
本発明の請求項４に記載の遊技用システムは、請求項１に記載の遊技用システムであって、
前記近似推移データ抽出手段は、前記当日推移データと前記推移データ記憶手段に記憶している過去の推移データについて、所定のサンプル期間における差遊技媒体数平均を算出し、各サンプル期間における前記当日推移データの差遊技媒体数平均と過去の推移データの差遊技媒体数平均との差数が所定範囲内であるサンプル期間の数に基づいて、近似推移データを抽出することを特徴としている。
この特徴によれば、過去の推移データの中から近似推移データを正確に抽出することができる。
【００１０】
本発明の請求項５に記載の遊技用システムは、請求項４に記載の遊技用システムであって、
前記管理装置は、前記サンプル期間の数に基づいて近似推移データを抽出するための複数の抽出方法を、各抽出方法を実施する優先順位とともに記憶するための抽出方法記憶手段を備え、
前記近似推移データ抽出手段は、前記優先順位が最も高い抽出方法により抽出を実施し、該抽出した近似推移データ数が予め定められた所定数に満たないときには該抽出した近似推移データ数が所定数を以上となるまで、次に優先順位の高い抽出方法により順次抽出を実施することを特徴としている。
この特徴によれば、近似度の高い近似推移データを抽出する抽出方法に高い優先順位を割り当てることで、できる限り近似度の高い近似推移データを抽出できる一方、表示対象推移データを特定する上で最低限の数の近似推移データが抽出されるようになるので、過去の推移データの状況に合わせて効率的に近似推移データの抽出を実施できる。
【００１１】
本発明の請求項６に記載の遊技用システムは、請求項１〜５のいずれかに記載の遊技用システムであって、
前記管理装置は、前記推移データ記憶手段において各遊技機の推移データを、当該遊技機の機種を特定可能な情報に対応付けて記憶しており、
前記遊技用装置は、対応する前記遊技機の機種を特定可能な情報を含む要求を前記管理装置に送信し、
前記近似推移データ抽出手段は、受信した要求に含まれる情報から特定される機種と同一機種の遊技機における過去の推移データを抽出対象として近似推移データを抽出することを特徴としている。
この特徴によれば、スペックが同一の遊技機の過去の推移データを抽出対象とした抽出を実施するので、表示される表示対象推移データの信頼性をさらに向上できる。
【００１２】
本発明の請求項７に記載の遊技用システムは、請求項１〜６のいずれかに記載の遊技用システムであって、
前記管理装置は、前記表示対象推移データ特定手段により特定した表示対象推移データ中の前記特定時点の差遊技媒体数が遊技者が有利となる所定値を越えないときに、前記要求元の遊技用装置に他の遊技機への移動を促すメッセージの表示指示である移動勧告表示指示を送信する移動勧告表示指示送信手段を備え、
前記遊技用装置は該移動勧告表示指示の受信に応じて他の遊技機への移動を促すメッセージを前記情報表示手段に表示することを特徴としている。
この特徴によれば、状況が遊技者にとって好転する見込みが著しく少ない遊技機での遊技者の過度ののめり込みを極力防止できる。
【発明を実施するための最良の形態】
【００１３】
本発明の実施例を以下に説明する。
【実施例１】
【００１４】
図１は本発明が適用された本実施例の遊技用システムの構成を示す図であり、この遊技用システムは、遊技場において複数配置された図示しない遊技島に並設される遊技機としてのカードリーダ式パチンコ機（以下パチンコ機）２に対して１対１に設置される本発明における遊技用装置としてのカードユニット３と、遊技場の所定箇所に設置され、カードユニット３にて使用される後述の会員カード（記録媒体）並びにビジターカードの管理等を行うシステムコントローラ１００と、会員カードを所持する会員遊技者に関する情報を管理する会員管理コンピュータ１２０と、遊技場内に設置された前記パチンコ機２における遊技に関する情報を管理する本発明の管理装置であるホールコンピュータ１４０と、から主に構成されており、システムコントローラ１００、会員管理コンピュータ１２０、ホールコンピュータ１４０並びにカードユニット３とはハブ（ＨＵＢ）８’（図３参照）並びに通信ケーブル８を介してデータ通信可能に接続されているとともに、システムコントローラ１００は、通信回線網１１を介して図示しないカード管理会社に設置された管理サーバとデータ通信可能に接続されている。
【００１５】
これら遊技場内に設置されたシステムコントローラ１００、会員管理コンピュータ１２０、ホールコンピュータ１４０並びにカードユニット３には、それぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との各種データの送受信を実施できるようになっている。
【００１６】
はじめに、本実施例の遊技用システムを構成する本発明における遊技用装置であるカードユニット３について説明すると、このカードユニット３は、前述のように遊技島に並設される遊技機としてのパチンコ機２に１対１に対応して設置されている。
【００１７】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００１８】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に、遊技者が該装着されたビジターカードを抜き取り不可に装着可能とされている。
【００１９】
尚、本実施例では、会員カード並びにビジターカードとして非接触ＩＣカードを使用しており、該非接触ＩＣカードに各カードを個々に識別可能なカードＩＤや、各会員に固有に付与された会員ＩＤ（会員カードのみ）や、遊技に使用可能な１００円を１単位とする遊技用価値となる度数等のデータが記憶されている。
【００２０】
カードユニット３の前面には、前方に突出する態様にて突出部３０５が設けられている。突出部３０５において、遊技者側に向けられた面には、本発明における情報表示手段を成す表示部３１２と、メインメニュー画面を表示させるためのメニュースイッチ３１６と、対応する遊技機であるパチンコ機２における遊技に関する情報となる台データやスランプグラフを前記表示部３１２に表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２１】
図３は、カードユニット３の構成を示すブロック図である。カードユニット３は、カードリーダライタ３２７と、表示制御基板３２９と、制御ユニット３２８とから主に構成されており、カードリーダライタ３２７及び表示制御基板３２９は、制御ユニット３２８と接続され、各種データの送受が可能とされている。
【００２２】
カードリーダライタ３２７は、会員カードやビジターカードに記録されているカードＩＤや会員ＩＤや度数等の記憶情報の読み出し並びに書き込みを行う。
【００２３】
表示制御基板３２９には、前述した表示部３１２を構成する液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２４】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２５】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力されたスランプグラフ画面や各種画面等の表示データを液晶表示器３１３に表示する制御を行う。
【００２６】
また制御ユニット３２８には、表示制御基板３２９を介して接続されたスイッチや表示器等の電子部品に加えて、紙幣識別ユニット３２１、硬貨識別ユニット３２２が接続されている。
【００２７】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００２８】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００２９】
また、制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに後述する推移表示用データ要求送信処理やスランプグラフ画面の表示処理や、貸出処理や、払戻処理等の各種処理を実行する。
【００３０】
また、制御ユニット３２８は、通信部３３４並びにＨＵＢ８’を介してシステムコントローラ１００や会員管理コンピュータ１２０並びにホールコンピュータ１４０とデータ通信可能に接続されており、各種データの送受が可能とされている。
【００３１】
更に制御ユニット３２８は、対応するパチンコ機２と接続されており、各種信号の送受が実施可能とされているとともに、制御ユニット３２８には、対応するパチンコ機２からの外部出力信号線が接続可能な信号入力部３３２が接続されており、この信号入力部３３２を介してパチンコ機２から出力される遊技情報である始動信号や、大当り中に継続的に出力される大当り信号１、大当り中および次回の大当りまでの間大当り確率が向上する遊技状態である確率変動状態中に継続的に出力される大当り信号２や、パチンコ機２において所定数（本実施例では１０玉）のパチンコ球が遊技者に払い出される（付与される）毎に出力される賞球信号や、遊技島内部のパチンコ機２の上方位置に設けられた補給球計数器２４（図２参照）から、パチンコ機２に所定数（本実施例では１０玉）のパチンコ球が補給される毎に出力される補給信号や、遊技島内部のパチンコ機２の下方位置に設けられたアウト球計数器２６（図２参照）から、パチンコ機２にて遊技に使用されて該パチンコ機２から排出されたパチンコ球が所定数（本実施例では１０玉）となった都度毎に出力される打込信号が制御ユニット３２８に入力されるようになっており、制御ユニット３２８は、開店時（起動時）から前記始動信号の入力に基づく始動回数と、賞球信号の入力に基づく本発明における付与遊技媒体数となる賞球玉数と、補給信号の入力に基づく補給玉数と、打込信号の入力に基づく本発明における使用遊技媒体数となる打込玉数の各データを累積加算して記憶している。
【００３２】
これら累積加算して記憶されている始動回数や、賞球玉数や、補給玉数や、打込玉数のデータは、前記大当り信号１や大当り信号２の入力の有無を示すデータと、当該カードユニット３の装置ＩＤとを含む所定長の遊技情報データが所定時間間隔（本実施例では約３０秒）毎に前記ホールコンピュータ１４０に対し、該制御ユニット３２８に設けられた通信部３３４より送信される。尚、遊技状態信号である大当り信号１や大当り信号２の信号出力状態に変化があった場合には、変化のあった大当り信号１や大当り信号２の有無の内容を反映した新たな遊技情報データが、所定時間間隔以外の、該信号出力状態に変化があった時点にて迅速にホールコンピュータ１４０に送信される。このようにして送信される遊技情報データにより、後述するホールコンピュータ１４０の遊技情報テーブルにて、受信した遊技情報データに含まれる装置ＩＤに対応付けて記憶されている賞球玉数や、打込玉数や差玉数、補給玉数、始動回数等の各データが更新されることで、各カードユニット３が対応するパチンコ機２における遊技情報が遊技情報テーブルにおいて収集、管理される。
【００３３】
また、本実施例の制御ユニット３２８は、会員カード挿入口３０９に挿入された会員カードに対して利用の可／不可を判別する受付処理を行う。
【００３４】
また、本実施例の制御ユニット３２８は、該受付処理において受付けられた会員カードより読み出された度数が残存する場合であって、パチンコ機２に備えられる貸出ボタンの操作が検出された場合に、対応するパチンコ機２に対して所定度数に対応する数のパチンコ玉の貸出要求を出力してパチンコ玉の貸出を実施させるとともに、該所定度数を減算更新する貸出処理を行う。
【００３５】
また、本実施例の制御ユニット３２８は、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付中の会員カードに残存する度数（本実施例では「０」）に加算する追加入金処理を行う。
【００３６】
また、本実施例の制御ユニット３２８は、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００３７】
また、本実施例の制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して該入手した貯蓄玉数から特定される再プレイ回数の内、１回の再プレイに対応する数のパチンコ球の払出を要求する払戻要求を出力し、所定数のパチンコ玉の払い戻しを実施させる払戻処理を行う。
【００３８】
また、本実施例の制御ユニット３２８は、カードユニット３と１対１に並設されたパチンコ機２が備える返却ボタンが遊技者により操作された場合に、受付け中の会員カードを返却する返却処理を行う。
【００３９】
次に、本実施例に用いた本発明における管理装置となるホールコンピュータ１４０の構成について図４に基づいて説明すると、該ホールコンピュータ１４０の内部にてデータの送受を行うデータバス１４１に、各パチンコ機２から出力され、前記カードユニット３を介して送信された前記遊技情報データに基づいて後述する遊技情報テーブルの内容を更新する更新処理や、後述する推移表示用データ送信処理等の各種処理を実施するＣＰＵ１４２、これらＣＰＵ１４２が実施する各種処理におけるワークメモリ等として使用されるＲＡＭ１４３、時刻情報やカレンダ情報を出力するＲＴＣ１４４、磁気ディスクや光磁気ディスクから成る記憶装置１４５、後述する推移データ表示設定画面（図７参照）の設定内容の入力並びに選択入力を行うためのキーボードやマウス等の入力装置１４６、前記推移データ表示設定画面等の各種画面を表示出力するための表示装置１４７や、前記表示装置１４７に表示出力された表示データを印刷出力するためのプリンタ１４８、前記ハブ８’を介してカードユニット３の制御ユニット３２８から送信される前記遊技情報データの受信等、該制御ユニット３２８との間において各種データ通信を行うための通信部１４９、が接続された通常のコンピュータである。
【００４０】
また、前記記憶装置１４５には、該ホールコンピュータ１４０が実施する推移表示用データ送信処理や、遊技情報テーブル並びに差玉推移データテーブルの更新処理等を実施するための処理プログラムに加えて、図５（ａ）に示すように、各パチンコ機２における遊技に関する情報が記憶、管理される遊技情報テーブルと、後述する推移表示用データ送信処理における近似関係にある過去の推移データである近似推移データの抽出に用いる複数の抽出方法の優先順位を記憶するための抽出方法優先順位テーブルと、各パチンコ機２の本日を含む過去一週間の各時間毎の賞球玉数と打込玉数との差数である差玉数から成る推移データ並びに遊技者にとって過去最高となる差玉数を含む過去最高の推移データとが記憶される、図６に示すような差玉推移データテーブルが記憶されている。
【００４１】
この、本実施例に用いた遊技情報テーブルには、図５（ａ）に示すように、遊技機であるパチンコ機２に固有に付与された台番号と当該パチンコ機２の機種名と対応するカードユニット３の装置ＩＤとに対応付けて、前記カードユニット３の制御ユニット３２８から送信されてくる前述の遊技情報データに含まれる賞球玉数データに基づく賞球玉数、前記遊技情報データに含まれる打込玉数データに基づく打込玉数、これら賞球玉数と打込玉数の差に基づく本発明における差遊技媒体数となる遊技場側にとっての差玉数（打込玉数−賞球玉数の値で、＋は遊技場にとって有利（つまり遊技者にとっては不利）となり、−は遊技場にとって不利（つまり遊技者にとっては有利）となる）、前記遊技情報データに含まれる補給玉数データに基づく補給玉数、前記遊技情報データに含まれる始動回数に基づく総スタート回数、大当り信号１並びに大当り信号２の有無を示すデータに基づいて大当りと判定された回数である大当り回数、大当り信号１および大当り信号２の有無を示すデータに基づいて確率変動状態と判定された回数である確変回数、前記総スタート回数と大当り回数との比である大当り確率、並びに各大当り間のスタート回数１，２・・・とが記憶されるようになっている。
【００４２】
また、本実施例に用いた抽出方法優先順位テーブルには、図５（ｂ）に示すように、各優先順位に対応付けて、当該優先順位に設定されている後述する推移表示用データ送信処理における過去の推移データの抽出に用いる各抽出方法ａ〜ｃが記憶されており、これら優先順位に基づいて、どの抽出方法により優先して抽出を実施するかを特定できるようになっている。つまり、該抽出方法優先順位テーブルにおいて、近似推移データを抽出するための複数の抽出方法が各抽出方法を実施する優先順位とともに記憶されており、該抽出方法優先順位テーブルによって本発明における抽出方法記憶手段が形成されている。
【００４３】
また、本実施例に用いた差玉推移データテーブルには、図６に示すように、各パチンコ機２の台番号と機種とに対応付けて、本日を含む過去一週間の各時間（本実施例では５分）毎の遊技場にとっての差玉数から成る推移データ並びに遊技者にとって過去最高の（遊技場にとっての最低の）差玉数を含む過去最高の推移データとが記憶されており、これら各推移データは、本実施例では５分毎に前記遊技情報テーブルにおける差玉数が記憶されていくことで、本日の推移データが記憶され、日付が更新される毎に、本日の推移データが前日、前日の推移データが前々日のように更新され、過去一週間の推移データが記憶されるとともに、各パチンコ機２における遊技者にとって過去最高の差玉数、具体的にはマイナスが最も大きい差玉数の推移データが過去最高の推移データとして記憶されている。つまり、該差玉推移データテーブルにおいて、過去複数日分である一週間分の差遊技媒体数である差玉数の営業開始から営業終了までの推移データが記憶されており、該差玉推移データテーブルによって本発明にける推移データ記憶手段が形成されている。尚、本実施例の差玉推移データテーブルにおいては、各パチンコ機２の推移データが、当該パチンコ機２の機種を特定可能な情報である機種名に対応付けて記憶されており、ホールコンピュータ１４０は、カードユニット３から送信される推移表示用データ送信要求に含まれる装置ＩＤに対応付けて遊技情報テーブルに記憶されている機種名から、該推移表示用データ送信要求の送信元のカードユニット３が対応するパチンコ機２の機種を特定し、該特定した機種と同一の機種の推移データを差玉推移データテーブルにおいて特定し、これら推移表示用データ送信要求の送信元のカードユニット３が対応するパチンコ機２の機種と同一の機種の推移データを、後述するように抽出対象とすることができるようになっている。
【００４４】
また、これら差玉推移データテーブルのデータの登録内容等は、図示しない設定メニューから「推移データ表示設定」を選択することで、表示装置１４７に表示される図７に示す推移データ表示設定画面において設定変更可能とされている。
【００４５】
この本実施例の推移データ表示設定画面には、図７に示すように、差玉推移データテーブルに差玉数が記憶される時間間隔（例えば５分）を設定するための推移データ登録間隔の設定メニューと、後述する近似関係にある過去の推移データの抽出に用いるサンプルポイント（時点）の時間間隔（例えば３０分）を設定するためのサンプル時間間隔の設定メニューと、該サンプルポイント（時点）における本日の推移データにおける差玉数と過去の推移データにおける差玉数とが一致すると判定する差玉数の違いの範囲を設定するための一致判定範囲の設定メニューと、後述する推移表示用データ送信処理において抽出する近似関係にある過去の推移データの数を設定するための近似データ抽出数の設定メニューと、これら抽出した過去の各推移データ（近似推移データ）から後述する表示対象条件１または２の内容を対比する時点である特定時点の種別を設定するための特定時点の種別の設定メニューと、前記抽出した過去の各推移データ（近似推移データ）からカードユニット３において本日の推移データと対比可能に表示する過去の推移データを特定するために用いる表示対象条件１並びに表示対象条件２を設定するための表示対象条件１並びに表示対象条件２の設定メニューと、該表示対象条件１および／または表示対象条件２により特定された表示対象とする過去の推移データ（比較データ）の前記特定時点の差玉数に関し、比較データとともに台移動の勧告メッセージを表示する条件を設定するための台移動勧告表示条件の設定メニューとが設けられている。
【００４６】
本実施例の推移データ登録間隔の設定メニューにおいては、具体的には、３分、５分、１０分、１５分の時間間隔を設定することができ、これら時間間隔毎に前記差玉数推移データテーブルに差玉数が記憶されて推移データとされるので、これら時間間隔が狭いと表示されるスランプデータは詳細な滑らかなグラフとなるデータ容量が増加するとともにホールコンピュータ１４０の処理負荷やカードユニット３との通信負荷が増大するので、ホールコンピュータ１４０に接続されているカードユニット３の台数、つまりはパチンコ機  ２の台数等に応じて、適宜に設定すれば良い。
【００４７】
本実施例のサンプル時間間隔の設定メニューにおいては、その時点において推移データ登録間隔の設定メニューに設定されている時間間隔の整数倍の時間間隔、例えば推移データ登録間隔に５分が設定されていれば、５分（１倍）、１０分（２倍）、１５分（３倍）…の時間をメニューから選択して設定することができ、これら設定する時間としては、サンプル時間間隔が短いほど、抽出される近似推移データの近似度合いを上げることが可能であるが、サンプルポイント（時点）の数が増加することにより抽出のための本日の推移データと対比処理に多くの時間を必要とするようになるので、これら処理時間を踏まえて設定すれば良い。
【００４８】
また、本実施例の一致判定範囲の設定メニューにおいては、本日の推移データと過去の推移データとが各サンプルポイント（時点）において一致すると判定する差玉数の違いの範囲、例えば、±１００や、±２００、±３００、±４００、±５００が設定できるようになっている。
【００４９】
また、本実施例の近似データ抽出数の設定メニューにおいては、前記一致判定範囲に設定された範囲にあることで一致すると見なされるサンプルポイント（時点）の数に基づいて、過去の推移データから抽出するデータの最低数（下限）を設定することができ、本実施例では、２〜１０の範囲で設定できるようになっている。
【００５０】
また、本実施例の特定時点の種別の設定メニューにおいては、その時点（時刻）に該当する時点以降における抽出された過去の推移データ上のどの時点を特定時点とするかを設定することができ、具体的には、遊技者にとって最高時点、つまり、差玉数が最もマイナスとなる時点を特定時点に設定するための「最高時点」項目と、遊技終了時点（営業終了時点）を特定時点に設定するための「終了時点」項目が選択可能とされている。
【００５１】
また、本実施例の表示対象条件１，２の設定メニューにおいては、前記特定時点の種別の設定メニューにおいて設定された特定時点における差玉数に基づいて、抽出された近似する過去の推移データの中からカードユニット３に表示する比較データを特定するための条件を設定することができ、具体的に表示対象条件１においては、これら特定時点における差玉数の上限と下限の範囲指定、例えば特定時点における差玉数が−１００００〜−２００００玉の範囲の推移データをカードユニット３に表示する比較データとしたい場合には、図７に示すように、「−１００００≧差玉数＞−２００００」の項目を選択して指定すれば良い。尚、これら差玉数による範囲指定をしない場合には「無し」の項目を選択すれば良い。
【００５２】
一方、表示対象条件２は、前記表示対象条件１に該当する過去の推移データが存在しない場合または表示対象条件１に「無し」が設定されている場合において有効となる条件であって、具体的には、特定時点における遊技者にとって有利となる差玉数の順位を、前記近似データ抽出数の数の範囲内、例えば近似データ抽出数の数に「５」が設定されていれば、「１位〜５位」までの順位を設定することができ、例えば「１位」を設定することで、前記表示対象条件１の条件を満たす推移データが抽出した推移データ中に存在しなくても、表示対象条件２である特定時点における差玉数が遊技者にとって「１位」である推移データが比較データとして特定される。
【００５３】
また、本実施例の台移動勧告表示条件の設定メニューにおいては、比較データとともに台移動を勧告するメッセージをカードユニット３に表示させる台移動勧告表示指示を含む推移表示用データを送信する条件を設定することができ、具体的には、特定時点における差玉数に関する条件、例えば差玉数が遊技者にとって不利となる０以上や、−５０００以上、…のように選択して設定することができる。
【００５４】
つまり、本実施例のホールコンピュータ１４０のＣＰＵ１４２は、表示装置１４７に前述の推移データ表示設定画面を表示して、抽出した近似推移データの中からカードユニット３に表示する本発明における表示対象推移データとなる比較データを特定するための条件である表示対象条件１，２を含む各種の設定メニューの設定を受付け、該受付けた各設定メニューの内容を設定する推移データ表示設定処理を実施するようになっており、該推移データ表示設定処理によって本発明における表示対象条件設定手段が形成されている。
【００５５】
以下、本実施例のカードユニット３の表示部３１２に、比較データを含むスランプグラフが表示される流れについて、図８のフロー図を参照して以下に説明する。
【００５６】
まず、遊技者が、カードユニット３が対応するパチンコ機２の遊技データを確認したい場合には、データスイッチ３１８を押圧操作する。このデータスイッチ３１８の操作は、制御ユニット３２８にて検知されて、該制御ユニット３２８は、当該カードユニット３の装置ＩＤを含む遊技データ送信要求をホールコンピュータ１４０に対して送信する。
【００５７】
この遊技データ送信要求の受信に応じてホールコンピュータ１４０（ＣＰＵ１４２）は、該受信した遊技データ送信要求に含まれる装置ＩＤに対応付けて遊技情報テーブルに記憶している差玉数や、総スタート回数、大当り回数、確変回数、大当り確率、大当り間スタート回数等のデータを読み出し、該読み出した遊技データを遊技データ送信要求の送信元のカードユニット３（制御ユニット３２８）に対して返信する。
【００５８】
この遊技データの受信により制御ユニット３２８は、受信した各遊技データを表示部に表示するとともに、該遊技データの表示画面内に「スランプグラフ」のメニューを選択操作可能に表示する。
【００５９】
尚、制御ユニット３２８は、該受信した差玉数と始動回数とが、自身が蓄積記憶している補給玉数と打込玉数とから算出される差玉数と、自身が蓄積記憶している始動回数と異なる場合には、自身が記憶している差玉数と始動回数とを遊技データとして表示する。
【００６０】
遊技者が差玉数に基づくスランプグラフを確認したい場合には、前述の遊技データの表示画面内に表示されている「スランプグラフ」のメニューを選択操作すれば良く、該「スランプグラフ」のメニューの選択操作により制御ユニット３２８は、ホールコンピュータ１４０に対して、当該カードユニット３の装置ＩＤを含む推移表示用データ送信要求を送信する。
【００６１】
この推移表示用データ送信要求の受信に基づいてホールコンピュータ１４０（ＣＰＵ１４２）は、図８に示す推移表示用データ送信処理を実施する。この本実施例の推移表示用データ送信処理においては、まず、受信した装置ＩＤに対応して遊技情報テーブルに記憶されている差玉数を特定し、該差玉数が遊技者にとって有利なマイナスとなっているか否かを判定する（Ｓ０）。
【００６２】
該判定において差玉数がマイナスである場合にはＳ１０に進んで、受信した装置ＩＤに対応して遊技情報テーブルに記憶されている当該カードユニット３が対応するパチンコ機２の台番号を特定し、該特定した台番号に対応付けて差玉数推移データテーブルに記憶されている本日推移データ（時刻と差玉数）と過去最高の推移データ（時刻と差玉数）とを含む推移表示用データを、推移表示用データ送信要求の送信元のカードユニット３（制御ユニット３２８）に対して送信することで、制御ユニット３２８が受信した推移表示用データに含まれる本日推移データと過去最高の推移データの各差玉数に−１を乗算した遊技者にとっての差玉数に基づくスランプグラフを、表示部３１２に表示することで、遊技者は、パチンコ機２の本日の差玉数の推移と過去最高を記録した際の差玉数の推移とをグラフにて比較して見ることができる。
【００６３】
一方、Ｓ０の判定において差玉数が遊技者にとって不利となる０またはプラスである場合にはＳ１に進んで、受信した推移表示用データ要求に含まれる装置ＩＤに対応付けて遊技場情報テーブルに記憶されている台番号と機種とから送信元のカードユニット３が対応するパチンコ機の台番号と機種とを特定する。
【００６４】
そしてＳ２に進んで、差玉推移データテーブルにおける特定した機種と同一機種の前日以前の推移データを抽出対象とし、特定した台番号に対応付けて差玉推移データテーブルに記憶されている本日の推移データ並びに前記にて抽出対象とした各推移データにおける前記推移データ表示設定画面のサンプル時間間隔の設定メニューにて設定されている各サンプル時点、具体的に例えばサンプル時間間隔に３０分が設定されていれば、３０毎（１０時３０分、１１時００分、１１時３０分…）の差玉数をそれぞれ抽出し、本日の推移データの１０時３０分における差玉数と、抽出対象とした同一機種の過去の推移データの１０時３０分における差玉数との差を算出し、該算出した差が推移データ表示設定画面の一致判定範囲に設定されている、例えば±３００の範囲内であれば当該サンプル時点が一致したものと見なし、これら一致したサンプル時点の数、つまりは、一致判定範囲に入るサンプル時点の数を各推移データ毎に特定する。
【００６５】
そして、優先順位の変数Ｎに１をセットし（Ｓ３）、該セットされた優先順位Ｎ＝１の抽出方法を前記抽出方法優先順位テーブルにおいて優先順位１に対応して登録されている抽出方法、例えば方法ａである全てのサンプル時点が一致する推移データを抽出する方法を特定し、該特定した優先順位Ｎ＝１の抽出方法により、前記Ｓ２において特定した、一致判定範囲に入るサンプル時点の数に基づいて、全てのサンプル時点が一致判定範囲に入る近似推移データを抽出する近似推移データ抽出処理を実施する（Ｓ４）。つまり、該近似推移データ抽出処理において、カードユニット３から送信される推移表示用データ送信要求に基づいて、前記推移データ記憶手段となる差玉推移データテーブルに記憶している過去の推移データの中から、該カードユニット３が対応するパチンコ機２のその当日の当該推移表示用データ送信要求の受信時点までの推移データである当日推移データと予め定められた近似関係にある過去の推移データである近似推移データを抽出しており、該近似推移データ抽出処理によって本発明における近似推移データ抽出手段が形成されている。
【００６６】
また、本実施例の近似推移データ抽出処理においては、前述のように、前記当日推移データと前記差玉推移データテーブルに記憶している過去の推移データとから、所定のサンプル時点における差玉数を抽出し、各サンプル時点における前記当日推移データの差玉数と過去の推移データの差玉数との差数が、一致判定範囲であるサンプル時点の数に基づいて近似推移データを抽出している。
【００６７】
このＳ４の抽出において抽出された近似推移データの数が、前記推移データ表示設定画面における近似データ抽出数に設定されている数、例えば５つ以上であるか否かを判定し（Ｓ５）、該判定結果が否、つまりは、近似データ抽出数に設定されている数を満たさない場合にはＳ１１に進み、優先順位の変数Ｎに１を加算して２をセットし、該セットされた優先順位Ｎ＝２の抽出方法を前記抽出方法優先順位テーブルにおいて優先順位２に対応して登録されている抽出方法、例えば方法ｂである一致するサンプル時点の割合が５０％以上である推移データを抽出する方法であると特定し、該特定した優先順位Ｎ＝２の抽出方法により、前記Ｓ２において特定した一致判定範囲に入るサンプル時点の数が、５０％以上である推移データを全て抽出する。尚、この際、抽出対象としては、優先順位１の抽出方法ａにより抽出された推移データは、優先順位Ｎ＝２の抽出方法においても当然ながら抽出されるので、処理負荷を低減させるために優先順位Ｎ＝２の抽出対象からは除外し、優先順位Ｎ＝２により新たに抽出された推移データを優先順位１の抽出方法ａにより抽出された推移データに加え、これら優先順位Ｎ＝１並びに優先順位Ｎ＝２により抽出された推移データの数が近似データ抽出数に設定されている数である５以上であるか否かを再度判定する（Ｓ５）。
【００６８】
そしてＳ５の判定結果が否、つまりは、近似データ抽出数に設定されている数を再度満たさない場合には再度Ｓ１１に進み、優先順位の変数Ｎにさらに１を加算して３をセットし、該セットされた優先順位Ｎ＝３の抽出方法を前記抽出方法優先順位テーブルにおいて優先順位３に対応して登録されている抽出方法、例えば方法ｃである一致する数の多い上位を抽出する方法であると特定し、該特定した優先順位Ｎ＝３の抽出方法により、優先順位Ｎ＝１並びに優先順位Ｎ＝２の抽出方法により抽出された推移データ以外の抽出対象の推移データの中から、前記Ｓ２において特定した一致判定範囲に入るサンプル時点の数が多い順に、近似データ抽出数に設定されている数に満たない不足数の推移データを抽出した後、Ｓ５の判定を実施することで、Ｓ５において近似データ抽出数に設定されている数を抽出数が満たすと判定されてＳ６に進む。つまり、本実施例の近似推移データ抽出処理においては、抽出方法優先順位テーブルにおいて優先順位が最も高い抽出方法により抽出を実施し、該抽出した近似推移データ数が予め定められた所定数である近似データ抽出数に満たないときには該抽出した近似推移データ数が該近似データ抽出数以上となるまで、次に優先順位の高い抽出方法により順次抽出を実施するようになっている。
【００６９】
尚、優先順位Ｎ＝１或いは優先順位Ｎ＝２における抽出で、近似データ抽出数に設定されている数を抽出数が満たす場合には、Ｓ１１に進むことなくＳ６に進むので、抽出対象とする推移データの近似状態に応じて、近似データ抽出数を満たす近似推移データが抽出される最小限の抽出方法による処理が実施されるので効率の良い近似推移データの抽出を実施することができる。
【００７０】
そしてＳ６において、抽出した各近似推移データの特定時点、具体的には、推移データ表示設定画面の特定時点の種別メニューにおいて「最高時点」が設定されている場合には、各近似推移データにおけるその時点の時刻以降における遊技者にとって有利となる最もマイナスの大きい差玉数を最高時点の差玉数として特定し、該特定した特定時点である「最高時点」の差玉数が表示対象条件１、例えば差玉数が−１００００〜−２００００玉の範囲である条件を満たす近似推移データである本発明の表示対象推移データとなる比較データを特定する表示対象推移データ特定処理を実施する。つまり、該表示対象推移データ特定処理において、前記近似推移データ抽出処理にて抽出した近似推移データのうち、前記特定時点の差玉数が、本発明の表示対象条件設定手段となる前述の推移データ表示設定処理にて設定されている表示対象条件１または２を満たす近似推移データである表示対象推移データを特定しており、該表示対象推移データ特定処理によって本発明における表示対象推移データ特定手段が形成されている。
【００７１】
尚、これら表示対象条件１を満たす近似推移データが存在しないときには表示対象条件２、例えば特定時点である「最高時点」の差玉数が、遊技者にとって有利となる最も大きな（順位１位）マイナスの値である近似推移データを比較データ（表示対象推移データ）として特定する。この場合には、特定される近似推移データである比較データ（表示対象推移データ）が１つのみなので、後述するＳ７の処理は実施されずＳ８に進む。
【００７２】
また、前記Ｓ６において、表示対象条件１を満たす近似推移データが複数存在する場合においてはＳ７において、これら表示対象条件１を満たす近似推移データの内で、特定時点である「最高時点」の差玉数が遊技者にとって有利となる最も大きなマイナスの値である近似推移データを比較データ（表示対象推移データ）として特定する。尚、これら表示対象条件１を満たす近似推移データが複数存在する場合においては、差玉数のマイナスが最も大きな近似推移データを比較データ（表示対象推移データ）として特定するのではなく、例えば、前記Ｓ２にて特定したサンプル時点の数が最も多い近似推移データを比較データとして特定しても良いし、更には、これらサンプル時点の数が同一である場合には、その時点の直近のサンプル時点が一致判定範囲に入るか否かにより比較データとする近似推移データを特定するようにしても良い。また、表示対象条件１で複数のときには、その複数に対して条件２を適用しても良い。
【００７３】
そしてＳ８に進んで、特定された近似推移データである比較データ（表示対象推移データ）の特定時点の差玉数が、前述した台移動勧告表示条件の設定メニューにおいて設定されている条件に該当するか否かを判定する。具体的には、例えば台移動勧告表示条件として０以上が設定されている場合において、特定した比較データ（表示対象推移データ）の特定時点の差玉数が例えば遊技者にとって有利となるマイナスの値である場合には、ノーと判定されてＳ９に進み、特定した比較データ（表示対象推移データ）と、該比較データ（表示対象推移データ）が対応する台番号と日付と、当該パチンコ機の本日推移データ、つまり推移表示用データ要求の受付け（受信）時点までの推移データとを含む推移表示用データを、推移表示用データ要求の送信元のカードユニット３（制御ユニット３２８）に送信するデータ送信処理を実施する。つまり、該データ送信処理において、前記表示対象推移データ特定処理において特定した比較データ（表示対象推移データ）と前記当日推移データとを併せて表示するための推移表示用データを、前記推移表示用データ送信要求の送信元のカードユニット３に送信しており、該データ送信処理によって本発明における表示用データ送信手段が形成されている。
【００７４】
この推移表示用データの受信により制御ユニット３２８は、図９に示すように、該受信した推移表示用データに含まれる本日推移データに含まれる各差玉数に−１を乗算した遊技者にとっての差玉数に基づく本日スランプグラフを実線グラフで、更に、該受信した推移表示用データに含まれる比較データ（表示対象推移データ）含まれる各差玉数に−１を乗算した遊技者にとっての差玉数に基づく比較スランプグラフを破線グラフにて、また、受信した推移表示用データに含まれる比較データ（表示対象推移データ）の日付や台番号に基づく該比較データ（表示対象推移データ）の解説表示や、「本日当台データ」等の本日推移データの解説表示を含むスランプグラフ画面を生成して表示部３１２に表示することで、遊技者がその時点までのパチンコ機２の差玉の推移状況とその推移状況に近似する過去の推移データである比較データ（表示対象推移データ）と、該比較データ（表示対象推移データ）がどの台のいつのデータなのかを把握することができる。
【００７５】
一方、特定された近似推移データ（比較データ）の特定時点の差玉数が、遊技者にとって不利となる０またはプラスの値である場合には、Ｓ８における判定において台移動勧告表示条件を満たすと判定されてＳ１２に進み、特定した比較データ（表示対象推移データ）と、該比較データ（表示対象推移データ）が対応する台番号と日付と、当該パチンコ機の本日推移データ、つまり推移表示用データ要求の受付け（受信）時点までの推移データと、台移動を促すメッセージの表示を指示する台移動勧告表示指示とを含む推移表示用データを、推移表示用データ要求の送信元のカードユニット３（制御ユニット３２８）に送信する移動勧告表示指示送信処理を実施する。つまり、該移動勧告表示指示送信処理において、前記表示対象推移データ特定処理により特定した表示対象推移データである比較データ中の前記特定時点の差玉数が遊技者が有利となる所定値を越える、具体的には、台移動勧告表示条件を満たすときに、前記推移表示用データ要求の送信元のカードユニット３に他のパチンコ機２への移動を促すメッセージの移動勧告表示指示を含む推移表示用データを送信しており、該移動勧告表示指示送信処理によって本発明における移動勧告表示指示送信手段が形成されている。
【００７６】
この推移表示用データの受信により制御ユニット３２８は、図１０に示すように、該受信した推移表示用データに含まれる本日推移データに含まれる各差玉数に−１を乗算した遊技者にとっての差玉数に基づく本日スランプグラフを実線グラフで、更に、該受信した推移表示用データに含まれる比較データ（表示対象推移データ）含まれる各差玉数に−１を乗算した遊技者にとっての差玉数に基づく比較スランプグラフを破線グラフにて、また、受信した推移表示用データに含まれる比較データ（表示対象推移データ）の日付や台番号に基づく該比較データ（表示対象推移データ）の解説表示や、「本日当台データ」等の本日推移データの解説表示を含むスランプグラフ画面を生成するとともに、該生成したスランプグラフ画面上に台移動を促すメッセージである「他の台での遊技をお勧めします」のメッセージをさらに含む台移動メッセージ画面を表示部３１２に表示することで、遊技者がその時点までのパチンコ機２の差玉の推移状況とその推移状況に近似する過去の推移データである比較データ（表示対象推移データ）と、該比較データ（表示対象推移データ）がどの台のいつのデータなのかを把握することができるとともに、該遊技者に対して他のパチンコ機２での遊技を促すことで、該遊技者の過度ののめり込みを極力防止できる。
【００７７】
尚、遊技者は、これらスランプグラフの確認を実施した後、これらスランプグラフ画面（図９）や、台移動メッセージ画面（図１０）に設けられている「台データ」の選択操作部を操作することで、カードユニット３が対応するパチンコ機２の遊技データを含む台データ画面に移行し（戻り）、「メニュー」の選択操作部を操作することで、メニュー一覧が選択操作可能に表示されるメニュー画面に移行することができる。
【実施例２】
【００７８】
次に、実施例２に係る遊技用システムに関して、図１１を参照して説明する。なお、本実施例２は請求項４に対応しており、本実施例２の特徴としては、前記実施例１においては、各サンプル時点の差玉数が所定範囲となる一致判定範囲に含まれるサンプル時点の数に基づいて近似推移データの抽出を実施しているのに対し、本実施例２では、これら隣接するサンプル時点の差玉数の平均値、つまりは、隣接するサンプル時点間をサンプル期間とする平均値が所定範囲となる一致判定範囲に含まれるサンプル期間の数に基づいて、近似推移データの抽出を実施する点であり、その他のシステム構成等は、前述の実施例１の遊技用システムと同一であることから、同一である部分の説明は省略するものとし、前記実施例１からの変更点となる本実施例２の特徴部分について以下に説明する。
【００７９】
本実施例２の遊技用システムにおいて、カードユニット３から推移表示用データ送信要求を受信した場合には、図１１に示す推移表示用データ送信処理を実施する。
【００８０】
まず、前述の実施例１の推移表示用データ送信処理と同様に、受信した装置ＩＤに対応して遊技情報テーブルに記憶されている差玉数を特定し、該差玉数が遊技者にとって有利なマイナスとなっているか否かを判定し（Ｓ０）、差玉数がマイナスである場合には前述のＳ１０を実施することで、本日推移データ（時刻と差玉数）と過去最高の推移データ（時刻と差玉数）とを含む推移表示用データがカードユニット３に送信され、該推移表示用データに基づくスランプグラフが表示部３１２に表示される。
【００８１】
一方、Ｓ０の判定において差玉数が遊技者にとって不利となる０またはプラスである場合にはＳ１に進んで、受信した推移表示用データ要求に含まれる装置ＩＤに対応付けて遊技場情報テーブルに記憶されている台番号と機種とから送信元のカードユニット３が対応するパチンコ機の台番号と機種とを特定する。
【００８２】
そしてＳ２＋に進んで、差玉推移データテーブルにおける特定した機種と同一機種の前日以前の推移データを抽出対象とし、特定した台番号に対応付けて差玉推移データテーブルに記憶されている本日の推移データ並びに前記にて抽出対象とした各推移データにおける前記推移データ表示設定画面のサンプル時間間隔の設定メニューにて設定されている期間、具体的に例えばサンプル時間間隔に３０分が設定されていれば、各３０分の期間（１０時〜１０時３０分、１０３０〜１１時００、…）に該当する各差玉数データに基づく当該サンプル期間における平均差玉数、具体的に１０時３０〜１１時００分の平均差玉数であれば、１０時３０分、１０時３５分、１０時４０分、１０時４５分、１０時５０分、１０時５５分、１１時００分当該サンプル期間に該当する各時点の差玉数の和を時点の数である６で除して平均差玉数を算出し、本日推移データの１０時３０〜１１時００分の平均差玉数と、抽出対象とした同一機種の過去の推移データの１０時３０〜１１時００分の平均差玉数との差を算出し、該算出した差が推移データ表示設定画面の一致判定範囲に設定されている、例えば±３００の範囲内であれば当該サンプル期間が一致したものと見なし、これら一致したサンプル期間の数、つまりは、一致判定範囲に入るサンプル期間の数を各推移データ毎に特定する。
【００８３】
そして、優先順位の変数Ｎに１をセットし（Ｓ３）、該セットされた優先順位Ｎ＝１の抽出方法を前記抽出方法優先順位テーブルにおいて優先順位１に対応して登録されている抽出方法、例えば方法ａである全てのサンプル期間が一致する推移データを抽出する方法を特定し、該特定した優先順位Ｎ＝１の抽出方法により、前記Ｓ２＋において特定した、一致判定範囲に入るサンプル期間の数に基づいて、全てのサンプル期間が一致判定範囲に入る近似推移データを抽出する近似推移データ抽出処理を実施する（Ｓ４＋）。このように、本実施例２の近似推移データ抽出処理においては、前記当日推移データと前記差玉推移データテーブルに記憶している過去の推移データとから、所定のサンプル期間における差玉数平均を算出し、各サンプル期間における前記当日推移データの差玉数平均と過去の推移データの差玉数平均との差数が所定範囲となる一致判定範囲内であるサンプル期間の数に基づいて近似推移データを抽出している。
【００８４】
このＳ４＋の抽出において抽出された近似推移データの数が、前記推移データ表示設定画面における近似データ抽出数に設定されている数、例えば５つ以上であるか否かを判定し（Ｓ５）、該判定結果が否、つまりは、近似データ抽出数に設定されている数を満たさない場合にはＳ１１に進み、優先順位の変数Ｎに１を加算して２をセットし、該セットされた優先順位Ｎ＝２の抽出方法を前記抽出方法優先順位テーブルにおいて優先順位２に対応して登録されている抽出方法、例えば方法ｂである一致するサンプル期間の割合が５０％以上である推移データを抽出する方法であると特定し、該特定した優先順位Ｎ＝２の抽出方法により、前記Ｓ２において算出した各サンプル期間の差玉数平均が一致判定範囲に入るサンプル期間の数が、５０％以上である推移データを全て抽出する。尚、この際、抽出対象としては、優先順位１の抽出方法ａにより抽出された推移データは、優先順位Ｎ＝２の抽出方法においても当然ながら抽出されるので、処理負荷を低減させるために優先順位Ｎ＝２の抽出対象からは除外し、優先順位Ｎ＝２により新たに抽出された推移データを優先順位１の抽出方法ａにより抽出された推移データに加え、これら優先順位Ｎ＝１並びに優先順位Ｎ＝２により抽出された推移データの数が近似データ抽出数に設定されている数である５以上であるか否かを再度判定する（Ｓ５）。
【００８５】
そしてＳ５の判定結果が否、つまりは、近似データ抽出数に設定されている数を再度満たさない場合には再度Ｓ１１に進み、優先順位の変数Ｎにさらに１を加算して３をセットし、該セットされた優先順位Ｎ＝３の抽出方法を前記抽出方法優先順位テーブルにおいて優先順位３に対応して登録されている抽出方法、例えば方法ｃである一致する数の多い上位を抽出する方法であると特定し、該特定した優先順位Ｎ＝３の抽出方法により、優先順位Ｎ＝１並びに優先順位Ｎ＝２の抽出方法により抽出された推移データ以外の抽出対象の推移データの中から、前記Ｓ２＋において算出した差玉数平均が一致判定範囲に入るサンプル期間の数が多い順に、近似データ抽出数に設定されている数に満たない不足数の推移データを抽出した後、Ｓ５の判定を実施することで、Ｓ５において近似データ抽出数に設定されている数を抽出数が満たすと判定されてＳ６に進む。つまり、本実施例２の近似推移データ抽出処理においても、抽出方法優先順位テーブルにおいて優先順位が最も高い抽出方法により抽出を実施し、該抽出した近似推移データ数が予め定められた所定数である近似データ抽出数に満たないときには該抽出した近似推移データ数が該近似データ抽出数以上となるまで、次に優先順位の高い抽出方法により順次抽出を実施するようになっている。
【００８６】
尚、優先順位Ｎ＝１或いは優先順位Ｎ＝２における抽出で、近似データ抽出数に設定されている数を抽出数が満たす場合には、Ｓ１１に進むことなくＳ６に進むので、抽出対象とする推移データの近似状態に応じて、近似データ抽出数を満たす近似推移データが抽出される最小限の抽出方法による処理が実施されるので効率の良い近似推移データの抽出を実施することができる。
【００８７】
そして、このように近似データ抽出数に設定されている数に満たす近似推移データが抽出されたことにより前述の実施例１のＳ６〜Ｓ９、並びにＳ１２が実施されることで、これら抽出された近似推移データから、表示対象条件１或いは表示対象条件２を満たす比較データ（表示対象推移データ）が特定され、該特定された比較データ（表示対象推移データ）の特定時点の差玉数が前述した台移動勧告表示条件に該当しない場合には、該特定した比較データ（表示対象推移データ）と、該比較データ（表示対象推移データ）が対応する台番号と日付と、当該パチンコ機の本日推移データとを含む推移表示用データが、推移表示用データ要求の送信元のカードユニット３（制御ユニット３２８）に送信されることで、該推移表示用データに基づく前記実施例１の場合と同様のスランプグラフ画面が表示部３１２に表示される。
【００８８】
一方、前記特定された比較データ（表示対象推移データ）の特定時点の差玉数が前述した台移動勧告表示条件を満たす場合には、該特定した比較データ（表示対象推移データ）と、該比較データ（表示対象推移データ）が対応する台番号と日付と、当該パチンコ機の本日推移データと、台移動を促すメッセージの表示を指示する台移動勧告表示指示とを含む推移表示用データが、推移表示用データ要求の送信元のカードユニット３（制御ユニット３２８）に送信されることで、該推移表示用データに基づく前記実施例１の場合と同様のスランプグラフを含む台移動メッセージ画面が表示部３１２に表示される。
【００８９】
以上、前記各実施例によれば、過去の推移データからその当日の当日推移データに近似する近似推移データが抽出され、該近似推移データから当日推移データと対比する表示対象推移データ（比較データ）が選択されて、該選択された表示対象推移データ（比較データ）とその当日の当日推移データとが併せて表示されるので、表示される表示対象推移データ（比較データ）の信頼性が向上し、遊技者の遊技継続意欲を十分に向上でき、結果的に遊技機であるパチンコ機２の稼働率の向上に寄与することができる。
【００９０】
また、前記各実施例によれば、サンプル時点の差玉数或いはサンプル期間の差玉数平均が一致判定範囲にあるサンプル時点或いはサンプル期間の数に基づいて近似推移データを抽出しているので、過去の推移データの中から近似推移データを正確に抽出することができる。
【００９１】
また、前記各実施例によれば、近似度の高い近似推移データを抽出する抽出方法に高い優先順位を割り当てることで、できる限り近似度の高い近似推移データを抽出できる一方、表示対象推移データを特定する上で最低限の数、つまり近似データ抽出数以上の近似推移データが抽出されるようになるので、過去の推移データの状況に合わせて効率的に近似推移データの抽出を実施できる。
【００９２】
また、前記各実施例によれば、スペックが同一の同一機種を近似推移データの抽出対象とすることで、表示される表示対象推移データの信頼性をさらに向上できる。
【００９３】
また、前記各実施例によれば、台移動勧告表示条件を満たす場合には、台移動勧告表示指示を含む推移表示用データがカードユニット３に送信されて台移動を促すメッセージが表示されるので、状況が遊技者にとって好転する見込みが著しく少ないパチンコ機２での遊技者の過度ののめり込みを極力防止できる。
【００９４】
以上、本発明の実施例を図面により説明してきたが、具体的な構成はこれら実施例に限られるものではなく、本発明の要旨を逸脱しない範囲における変更や追加があっても本発明に含まれる。
【００９５】
例えば、上記実施例では、ホールコンピュータ１４０からカードユニット３に送信される推移表示用データに、当該カードユニット３が対応するパチンコ機２の本日推移データを含むようにしているが、本発明はこれに限定されるものではなく、例えば、遊技用装置であるカードユニット３側においても、対応するパチンコ機２からの賞球信号に基づく賞球玉数と、アウト球計数器２６からの打込信号に基づく打込玉数との差である差玉数の推移データである本日推移データを記憶している場合には、これら本日推移データを含まない推移表示用データを、本発明における表示対象推移データと前記当日推移データとを併せて表示するための表示用データとして送信するようにしても良い。
【００９６】
また、前記実施例では、賞球玉数と打込玉数との差を差遊技媒体数である差玉数としているが、本発明はこれに限定されるものではなく、前述のパチンコ機２に供給された補給玉数は、これら賞球玉数を全て含むものであるので、これら賞球玉数に代えて、パチンコ機２に供給された補給玉数を用いるようにしても良い。
【００９７】
また、前記実施例では、近似推移データの抽出対象を同一機種の過去の推移データとしているが、本発明はこれに限定されるものではなく、例えば、差玉推移データテーブルに記憶される過去の推移データの記憶期間を一ヶ月等と長い期間とし、これら抽出対象を当該パチンコ機２の過去の推移データのみとしても良い。また、遊技機であるパチンコ機２の導入初期においては、該パチンコ機２や同一機種の過去の推移データが差玉推移データテーブルに記憶されていない状況となるが、これら導入初期の段階においては、例えばパチンコ機の製造会社から提供される推移データである定型データを差玉推移データテーブルに登録して、該定型データを過去の推移データに代えて使用したり、或いは、遊技場が複数の遊技場を備えるチェーン店等である場合には、他の遊技場における同一機種の推移データを参考データとして差玉推移データテーブルに登録して、該参考データを過去の推移データに代えて使用するようにしても良い。
【００９８】
また、前記実施例では、遊技者による「スランプグラフ」のメニュー選択操作に応じてカードユニット３（制御ユニット３２８）が、推移表示用データ送信要求をホールコンピュータ１４０に送信することにより該ホールコンピュータ１４０から送信（返信）される推移表示用データに基づくスランプグラフを表示するようになっているが、本発明はこれに限定されるものではなく、例えば、スランプグラフが継続して表示されている場合においては、所定時間、例えば１０分の経過毎等にカードユニット３（制御ユニット３２８）が自動的に推移表示用データ送信要求をホールコンピュータ１４０に送信して推移表示用データを取得し、該取得した新たな推移表示用データに基づくスランプグラフに表示を自動更新するようにしても良い。これによれば、遊技者が再操作の手間なく遊技状況の変化に応じた比較データを閲覧できる。
【００９９】
また、前記実施例では、賞球玉数と打込玉数とを含む遊技情報データをカードユニット３から受信して、これら賞球玉数と打込玉数とを遊技情報テーブルに更新記憶するようにしているが、本発明はこれに限定されるものではなく、これら賞球玉数や打込玉数を、カードユニット３を経由せずに、例えば、これら遊技情報をホールコンピュータ１４０に送信するための中継端末を個別に設けて、該中継端末を介して取得するようにしても良い。
【０１００】
また、前記実施例においては、遊技機の一例としてパチンコ玉を用いて遊技を行う通常のパチンコ機２を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のパチンコ機やスロットマシン等の遊技機を適用しても良い。
【０１０１】
また、前記実施例では、差玉数の推移を折線グラフにて表示するスランプグラフを表示するようにしているが、本発明はこれに限定されるものではなく、これら差玉数の推移を棒グラフや数値変遷によって表示するようにしても良い。
【０１０２】
また、前記実施例では、差玉数が０未満の場合、つまり遊技者にとって有利なマイナスである場合には、過去最高の推移データをカードユニット３に送信するようにしているが、本発明はこれに限定されるものではなく、これら差玉数がマイナスである場合においても、差玉数が０またはプラスの場合と同様に、表示対象推移データを特定し、該特定した表示対象推移データを過去最高の推移データとともに、或いは該過去最高の推移データなしに単独で送信するようにしても良い。
【０１０３】
また、前記実施例では、遊技用装置としてのカードユニット３がビジターカードや会員カードに残存する度数を遊技に使用するための貸出処理や、一度遊技にて獲得した貯玉の払戻処理を実施するようにしているが、本発明はこれに限定されるものではなく、これら貸出処理や払戻処理の機能を有しない、単純に遊技データ等の閲覧機能を備えるものであっても良い。
【０１０４】
また、前記実施例では、管理装置をホールコンピュータ１４０としているが、本発明はこれに限定されるものではなく、これら管理装置を、会員遊技者に関する情報を管理するための会員管理コンピュータ１２０としても良い。
【０１０５】
また、前記実施例では、推移表示用データ送信要求に含まれる装置ＩＤに対応付けて遊技情報テーブルに記憶されている機種名から、該推移表示用データ送信要求の送信元のカードユニット３が対応するパチンコ機２の機種を特定するようにしていが、本発明はこれに限定されるものではなく、これら機種を特定可能な情報として、カードユニット３から各機種に固有に付与された機種ＩＤを含む推移表示用データ送信要求を送信するようにしても良い。
【０１０６】
前記実施例における各要素は、本発明に対して以下のように対応している。
本発明の請求項１は、遊技機（パチンコ機２）に対応して設けられ、該対応する遊技機における遊技に関する情報を表示する情報表示手段（表示部３１２）を備える遊技用装置’（カードユニット３）と、該遊技用装置にデータ通信可能に接続され、前記遊技機における遊技に使用された使用遊技媒体数（打込玉数）と該遊技機における遊技により遊技者に付与された付与遊技媒体数（賞球玉数）との差である差遊技媒体数（差玉数）の営業開始から営業終了までの推移データを管理する管理装置（ホールコンピュータ１４０）とから成り、該管理装置にて管理されている差遊技媒体数の推移データを、前記遊技用装置が対応する遊技機における遊技者が閲覧可能に前記情報表示手段に表示するための遊技用システムであって、前記管理装置は、過去複数日（１週間）分の前記推移データを記憶するための推移データ記憶手段（差玉推移データテーブル）と、前記遊技用装置からの要求に基づいて、前記推移データ記憶手段に記憶している過去の推移データの中から、該遊技用装置が対応する遊技機のその当日の当該要求時点までの推移データである当日推移データと予め定められた近似関係にある過去の推移データである近似推移データを抽出する近似推移データ抽出手段（ＣＰＵ１４２；近似推移データ抽出処理）と、該近似推移データ中の前記要求時点以降の特定時点における差遊技媒体数に関する表示対象条件を設定する表示対象条件設定手段（ＣＰＵ１４２；推移データ表示設定処理）と、前記近似推移データ抽出手段にて抽出した近似推移データのうち、前記特定時点の差遊技媒体数が前記表示対象条件設定手段にて設定されている表示対象条件を満たす近似推移データである表示対象推移データ（比較データ）を特定する表示対象推移データ特定手段（ＣＰＵ１４２；表示対象推移データ特定処理）と、該特定した表示対象推移データ（比較データ）と前記当日推移データとを併せて表示するための表示用データ（推移表示用データ）を、前記要求元の遊技用装置に送信する表示用データ送信手段（ＣＰＵ１４２；データ送信処理）と、を備え、前記遊技用装置は、受信した前記表示用データに基づいて、前記当日推移データと表示対象推移データ（比較データ）とを併せて前記情報表示手段に表示する。
【０１０７】
本発明の請求項２は、前記近似推移データ抽出手段（ＣＰＵ１４２；近似推移データ抽出処理）は、前記当日推移データと前記推移データ記憶手段（差玉推移データテーブル）に記憶している過去の推移データとから、所定のサンプル時点における差遊技媒体数（差玉数）を抽出し、各サンプル時点における前記当日推移データの差遊技媒体数と過去の推移データの差遊技媒体数との差数が所定範囲内（一致判定範囲）であるサンプル時点の数に基づいて、近似推移データを抽出する。
【０１０８】
本発明の請求項３は、前記管理装置（ホールコンピュータ１４０）は、前記サンプル時点の数に基づいて近似推移データを抽出するための複数の抽出方法を、各抽出方法を実施する優先順位とともに記憶するための抽出方法記憶手段（抽出方法優先順位テーブル）を備え、前記近似推移データ抽出手段（ＣＰＵ１４２；近似推移データ抽出処理）は、前記優先順位が最も高い抽出方法により抽出を実施し、該抽出した近似推移データ数が予め定められた所定数（近似データ抽出数）に満たないときには該抽出した近似推移データ数が該所定数以上となるまで、次に優先順位の高い抽出方法により順次抽出を実施する。
【０１０９】
本発明の請求項４は、前記近似推移データ抽出手段（ＣＰＵ１４２；近似推移データ抽出処理）は、前記当日推移データと前記推移データ記憶手段（差玉推移データテーブル）に記憶している過去の推移データについて、所定のサンプル期間における差遊技媒体数平均（差玉数平均）を算出し、各サンプル期間における前記当日推移データの差遊技媒体数平均と過去の推移データの差遊技媒体数平均との差数が所定範囲（一致判定範囲）内であるサンプル期間の数に基づいて、近似推移データを抽出する。
【０１１０】
本発明の請求項５は、前記管理装置（ホールコンピュータ１４０）は、前記サンプル期間の数に基づいて近似推移データを抽出するための複数の抽出方法を、各抽出方法を実施する優先順位とともに記憶するための抽出方法記憶手段（抽出方法優先順位テーブル）を備え、前記近似推移データ抽出手段（ＣＰＵ１４２；近似推移データ抽出処理）は、前記優先順位が最も高い抽出方法により抽出を実施し、該抽出した近似推移データ数が予め定められた所定数（近似データ抽出数）に満たないときには該抽出した近似推移データ数が所定数以上となるまで、次に優先順位の高い抽出方法により順次抽出を実施する。
【０１１１】
本発明の請求項６は、前記管理装置（ホールコンピュータ１４０）は、前記推移データ記憶手段（差玉推移データテーブル）において各遊技機の推移データを、当該遊技機の機種を特定可能な情報（機種名）に対応付けて記憶しており、前記遊技用装置（カードユニット３）は、対応する前記遊技機（パチンコ機２）の機種を特定可能な情報（装置ＩＤ）を含む要求を前記管理装置（ホールコンピュータ１４０）に送信し、前記近似推移データ抽出手段（ＣＰＵ１４２；近似推移データ抽出処理）は、受信した要求に含まれる情報から特定される機種と同一機種の遊技機における過去の推移データを抽出対象として近似推移データを抽出する。
【０１１２】
本発明の請求項７は、前記管理装置（ホールコンピュータ１４０）は、前記表示対象推移データ特定手段（ＣＰＵ１４２；表示対象推移データ特定処理）により特定した表示対象推移データ中の前記特定時点の差遊技媒体数が遊技者が有利となる所定値を越えないときに、前記要求元の遊技用装置（カードユニット３）に他の遊技機への移動を促すメッセージの表示指示である移動勧告表示指示（台移動勧告表示指示）を送信する移動勧告表示指示送信手段（ＣＰＵ１４２；移動勧告表示指示送信処理）を備え、前記遊技用装置は該移動勧告表示指示の受信に応じて他の遊技機への移動を促すメッセージを前記情報表示手段（表示部３１２）に表示する。
【図面の簡単な説明】
【０１１３】
【図１】本発明の実施例１における遊技用システムの構成を示す図である。
【図２】本発明の実施例１において用いたパチンコ機並びにカードユニットの正面図である。
【図３】本発明の実施例１におけるカードユニットの構成を示すブロック図である。
【図４】本発明の実施例１におけるホールコンピュータの構成を示すブロック図である。
【図５】（ａ）は、本発明の実施例１に用いた遊技情報テーブルを示す図であり、（ｂ）は、本発明の実施例１に用いた抽出方法優先順位テーブルを示す図である。
【図６】本発明の実施例１に用いた差玉推移データテーブルを示す図である。
【図７】本発明の実施例１に用いたホールコンピュータの推移データ表示設定画面を示す図である。
【図８】本発明の実施例１に用いたホールコンピュータにおける推移表示用データ送信処理の内容を示すフロー図である。
【図９】本発明の実施例１に用いたカードユニットの表示部３１２に表示されるスランプグラフを示す図である。
【図１０】本発明の実施例１に用いたカードユニットの表示部３１２に表示されるスランプグラフを示す図である。
【図１１】本発明の実施例２に用いたホールコンピュータにおける推移表示用データ送信処理の内容を示すフロー図である。
【符号の説明】
【０１１４】
２        パチンコ機
３        カードユニット
２４      補給球計数器
２６      アウト球計数器
１４０    ホールコンピュータ
１４２    ＣＰＵ
１４５    記憶装置
１４６    入力装置
１４７    表示装置
１４８    プリンタ
１４９    通信部
【図１】
2006149537.tif 000003
【図２】
2006149537.tif 000004
【図３】
2006149537.tif 000005
【図４】
2006149537.tif 000006
【図５】
2006149537.tif 000007
【図６】
2006149537.tif 000008
【図７】
2006149537.tif 000009
【図８】
2006149537.tif 000010
【図９】
2006149537.tif 000011
【図１０】
2006149537.tif 000012
【図１１】
2006149537.tif 000013